(57)【特許請求の範囲】
【請求項１】
一方が車体に、他方が車両用シートのシートバックに固定され、両者の係合により前記シートバックを起立状態にロックする一対の部材からなる装置であって、
車両側面に対して略平行且つ板状に広がり周縁の一端から内側に向かって湾曲Ｕ字状にスリット部が形成され金属のベース部及び樹脂の外層からなる係合板部を有するフック部材と、片持ち式に固定され車幅方向へ伸びる軸部及び前記係合板部に対して略平行に広がる傘部を有するキノコ型のストライカとからなり、前記フック部材が前記スリット部にて前記軸部に係合可能なシートバックロック装置において、
係合時に前記傘部の裏面が対向する前記係合板部上の対向領域のうち、少なくとも、向きが固定された前記フック部材に対して前記軸部のみが車両内側端部を車両前方側へ傾ける仮想配置状態において、前記傘部の周縁との間隔が最も縮小される点を含む領域に凹部が形成されていることを特徴とするシートバックロック装置。
【発明の詳細な説明】
【技術分野】
【０００１】
本発明は、自動車等の車両用シートのシートバックの起立状態を保持するシートバックロック装置に関する。
【背景技術】
【０００２】
自動車等の車両用シートには可倒式のシートが多く採用されている。また、可倒式のシートの背後に積載スペースを有する構造も多い。可倒式のシートは、シートバックの回動機構にロック機構を有しているものが多いが、このような構成では、シートバックが受けた衝撃はロック機構部分に集中し易く、受けた衝撃をフレームに分散させる固定式のシートに比べて強度的に不利となる。従って、このような可倒式のシートを備え、さらに追突時には積荷からの衝撃を受け易い積載スペースを有する車種の場合には、シートバックの起立状態を保持し、乗員の安全を確保することのできる、一定以上の強度が要求される。このため、従来からシートバックの上部を車体に固定し、起立状態を保持するシートバックロック装置が考えられている。
【０００３】
図４は、従来のシートバックロック装置を備えた車両用シートの概略斜視図である。この図４に示すように、車両用シート１６０のシートバックロック装置１００は、シートバック１６０ａの両肩付近に設置されている。そして、それぞれのシートバックロック装置１００は、係合ピンであるキノコ型のストライカ１４０と、このストライカ１４０に係合するフック部材１２０とが対になって構成されている。ここに示すシートバックロック装置１００では、ストライカ１４０がシートバック１６０ａに、フック部材１２０が車体（図示しない）に固定されている。
【０００４】
ここで、図４の二点鎖線で囲まれたシートバックロック装置１００の拡大図を図５に示す。キノコ型のストライカ１４０は金属で形成されており、軸部１４０ａと傘部１４０ｂとを有している。この軸部１４０ａはシートバック１６０ａの肩から車幅方向外側に向かって伸びており、傘部１４０ｂは軸部１４０ａの自由端側である車外側に形成されている。
【０００５】
一方、フック部材１２０は、ストライカ１４０の軸部１４０ａとほぼ直交する方向、すなわち、車両の側面にほぼ平行となるように広がる板状の係合板部１３０を有している。そして、この係合板部１３０には、周縁の一端から内側へ切り込まれる湾曲Ｕ字状のスリット１３０ａが形成されている。
【０００６】
ここでは図示しないが、フック部材１２０は車体側の内壁に回転軸１８０を介して回動自在に取り付けられており、図中に示した矢印１９０の方向に回動することにより、軸部１４０ａと係合することができる。この係合により、車両後部に積載された積荷が、衝突の際に車両前方側へ移動し、シートバック１６０ａの背面に衝突した場合であっても、シートバック１６０ａは両肩に設けられたシートバックロック装置１００により固定されているので、良好に起立状態を保持することができる。なお、このような構成は、特許文献１に開示例がある。
【先行技術文献】
【特許文献】
【０００７】
【特許文献１】特開２００８−３０８０９４号公報
【発明の概要】
【発明が解決しようとする課題】
【０００８】
しかしながら、上述のようなシートバックロック装置１００では、係合板部１３０が樹脂コーティングされた金属部材で形成されている場合、樹脂層の損傷が原因で、ストライカ１４０とフック部材１２０との間の係合が外れることがある。以下に、この係合外れについて図６を用いて説明を行う。
【０００９】
図６は、図５のシートバックロック装置１００の断面図である。このうち図６（ａ）は、通常の係合状態を示しており、図６（ｂ）はシートバック１６０ａの中央付近が車両前方側へ湾曲するような衝撃がシートバック１６０ａの背後から加わった場合の係合状態を示している。このシートバック１６０ａの変形に伴って、ストライカ１４０のシートバック固定端側（車両内側）の端部も車両前方側へ傾く。また、軸部１４０ａの車両外側では、傘部１４０ｂが矢印２００の方向へ回転する。これにより、傘部１４０ｂの車両後方側１４０ｃの周縁の一部は、係合板部１３０の樹脂層１３０ｃにめり込む。樹脂層１３０ｃは、金属製のストライカ１４０と係合板部１３０の芯材であるベース部１３０ｂとの間に押し潰されて当接箇所に損傷を受ける。
【００１０】
ここで、この傘部１４０ｂに押し潰されて押し退けられる樹脂材の占める範囲が大きければ、それに応じてスリット１３０ａの内側を伝って車外側から車内側へ逃げる樹脂も大きく動くので、車内側のスリット１３０ａ周辺で歪みが大きくなり亀裂を生じやすくなる。そして更に、亀裂の程度が大きい場合には、スリット１３０ａ周辺の樹脂材が一部剥離し、脱落してしまう場合も生じ得る。こうなると、剥がれ落ちた樹脂層１３０ｃの厚み分だけスリット幅が拡張され、軸部１４０ａと係合板部１３０との係合が外れやすい状態となり、安全に乗員を保護することが困難になる。
【００１１】
そこで、樹脂層１３０ｃの層厚が厚いほど、めり込む傘部１４０ｂの移動幅に対する許容値が大きくなり、その結果として直接傘部１４０ｂが当接する側とは逆側の樹脂層１３０ｃに生じる歪みも大きくなるという点に着目し、本発明では、樹脂コーティングされた金属製の板状部材のスリットに係合する金属製のキノコ型ストライカの軸方向が板状部材に対して傾いた場合においても良好な係合状態を保持することのできるシートバックロック装置を提供することを目的とする。
【課題を解決するための手段】
【００１２】
上記目的を達成するために、本発明のシートバックロック装置は、
一方が車体に、他方が車両用シートのシートバックに固定され、両者の係合によりシートバックを起立状態にロックする一対の部材からなる装置であって、
車両側面に対して略平行且つ板状に広がり周縁の一端から内側に向かって湾曲Ｕ字状にスリット部が形成され金属のベース部及び樹脂の外層からなる係合板部を有するフック部材と、片持ち式に固定され車幅方向へ伸びる軸部及び係合板部に対して略平行に広がる傘部を有するキノコ型のストライカとからなり、フック部材がスリット部にて軸部に係合可能なシートバックロック装置において、
係合時に傘部の裏面が対向する係合板部上の対向領域のうち、少なくとも、向きが固定されたフック部材に対して軸部のみが車両内側端部を車両前方側へ傾ける仮想配置状態において、傘部の周縁との間隔が最も縮小される点を含む領域に凹部が形成されていることを特徴とする。
【００１３】
このように構成すると、車体の変形等に伴い、軸部の車両内側端部が車両前方側へ傾いた際、傘部の周縁は、係合板部状の対向領域に形成された凹部の内側に当接する。
【００１４】
すなわち、車体側にストライカが設置されている構成においては、係合板部の車両前方側に凹部が形成されており、車内に向かって伸びている傘部側が車両前方に傾く際、係合板部の対向面との距離を縮める傘部の車両前方側の周縁部が、凹部の内側にて係合板部と当接する。
【００１５】
また、シートバック側にストライカが設置されている構成においては、係合板部の車両後方側に凹部が形成されており、シートバックに固定されている側の端部が車両前方に傾く際、係合板部の対向面との距離を縮める傘部の車両後方側の周縁部が、凹部の内側にて係合板部と当接する。
【００１６】
これにより、傘部の周縁が凹部の内側に当接するような回転位置に、軸部が達するまでは、係合板部をコーティングしている樹脂材と傘部の裏面及び周縁との間の干渉を防止できるので、樹脂層の変形の程度を低く抑えることが可能となる。
【発明の効果】
【００１７】
以上説明したように、本発明によれば、背後からの衝撃によりシートバックの中央付近が車両前方側に湾曲した場合であっても、ストライカの傘部の周縁は、軸部の方向がある一定以上の角度に傾くまでは、フック部材の樹脂層と当接しない。これにより、傘部が樹脂層に当接する直前までは、傘部の移動に伴う樹脂層の変形が抑えられるので、追突等の際に、フック部材に対してストライカが傾いた場合であっても、亀裂の原因となる樹脂層の変形が最小限に抑えられる。この結果、亀裂が原因で樹脂材の一部が脱落し、スリット幅の間隔が広がることを防止できるので、フック部材に対するストライカの係合状態を良好に保つことができる。
【図面の簡単な説明】
【００１８】
【図１】本発明の第１の実施の形態におけるシートバックロック装置を示す斜視図である。
【図２】図１のシートバックロック装置の、変形時の係合状態を示した断面図である。
【図３】本発明の第２の実施の形態におけるシートバックロック装置を示す斜視図である。
【図４】従来のシートバックロック装置を有する自動車用シートの概略図である。
【図５】図４のシートバックロック装置の拡大図である。
【図６】図５のシートバックロック装置の、変形時の係合状態を示した断面図である。
【発明を実施するための形態】
【００１９】
以下に、本発明の実施の形態について、図を用いて説明する。
【００２０】
（第１の実施の形態）
本発明の第１の実施の形態におけるシートバックロック装置について、図を用いて説明する。
【００２１】
図１は、本発明の第１の実施の形態のシートバックロック装置の概略を示した斜視図である。この図に示すように、本実施の形態におけるシートバックロック装置１は、ストライカ４とフック部材２とから構成されている。ストライカ４はシートバック６ａの肩から車幅方向外側に伸びる軸部４ａと、この軸部４ａの自由端側に形成された傘部４ｂとを有したキノコ型に形成されている。また、フック部材２は、ストライカ４の軸部４ａとほぼ直交する方向、すなわち、車両側面に対してほぼ平行に広がる係合板部３を有し、この係合板部３には、その下方端部から切り込まれた湾曲Ｕ字状のスリット３ａが形成されている。
【００２２】
フック部材２は回転軸８を中心として回動自在に車体（図示しない）に取り付けられており、上記スリット３ａにて軸部４ａに対して回転係合することにより、シートバック６ａが車体に対してロックされる。係合時においては、傘部４ｂの広がる方向と係合板部３の広がる方向とはほぼ平行状態となっている。
【００２３】
図１では、ストライカ４の軸部４ａに対して係合板部３のスリット３ａが係合される前の状態が示されている。図に示されているように、本実施の形態におけるフック部材２の係合板部３には、スリット３ａの周縁に凹部３ｄが形成されている。図中の係合板部３に二点鎖線で囲まれた領域は、係合時において傘部４ｂの裏面と対向する対向領域３ｆである。図１から分かるように、凹部３ｄは、この対向領域３ｆのうち、車両後方側に形成されている。
【００２４】
ここで、追突時などに受ける積荷からの衝撃により、シートバック６ａの中央付近が車両前方側に湾曲したときのシートバックロック装置１について、その断面図を図２に示す。図２（ａ）は、通常時の係合状態を示し、図２（ｂ）は衝突等により、フック部材２に対してストライカ４の軸方向が傾いた時の係合状態を示している。
【００２５】
図２（ｂ）から分かるように、シートバック６ａの中央付近が車両前方へ押し出されることにより、ストライカ４の軸部４ａは、シートバック６ａに固定されている側の端部（車両内側の端部）が車両前方側に移動し、図２（ａ）の状態に比べて傾いた状態となっている。この車両変形により、ストライカ４の軸部４ａには、図２（ｂ）に矢印１０で示した軸方向に働く張力と、スリット３ａの周辺を中心とし、矢印１２で示した向きに働く回転力が生じている。
【００２６】
ここで、スリット３ａの周辺の係合板部３に注目すると、車両後方側に形成された凹部３ｄの内側に、傘部４ｂの車両後方側の周縁部４ｄが収まっている。この図２（ａ）、（ｂ）にて明らかなように、凹部３ｄは、スリット３ａから車両後方側へ離れるに従ってその深さを増すように形成されている。これにより、シートバック６ａの変形に伴い回転したストライカ４の傘部４ｂの裏面４ｃと、凹部３ｄ内側の傾斜面３ｇとはほぼ平行に近い角度で接している。そして、車両後方側の係合板部３の表面を覆う樹脂層３ｃに歪みは生じておらず、スリット３ａの内側にも車内側に面する樹脂層３ｃにも変形は生じていない。
【００２７】
すなわち、凹部３ｄが設けられていることにより、傘部４ｂの車両側の周縁部４ｄおよび裏面４ｃは、図に示されている回動位置に達するまで樹脂層３ｃの内側表面に当接することはなく、この回動位置に達して始めて当接する。従って、この傘部４ｂの回動に伴い樹脂層３ｃが押し潰されることも押し退けられることもなく、スリット３ａの内側および車内側の係合板部３の表面にも歪みは生じていない。
【００２８】
このように、車両後方側であって、傘部４ｂの形状が投影されるスリット３ａの周辺の対向領域３ｆに凹部３ｄを形成することにより、係合板部３の車内側の樹脂層３ｃに亀裂を生じる原因となる歪みの発生を防止することができる。
【００２９】
また、歪みや亀裂が生じることを防止し、樹脂層３ｃの剥離の発生を防ぐことができるので、この剥離、脱落に基づくスリット幅の拡張を防止でき、結果として、ストライカ４とフック部材２との係合の外れを防止することが可能となる。
【００３０】
さらに、本実施の形態においては、凹部３ｄの最も深い部分は、被覆厚さが薄くなるように形成されているので、この図２の状態から更に大きな張力が軸方向に働いた場合であっても、その薄い被覆が破れて直ぐに芯材であるベース部３ｂに傘部４ｂの周縁部４ｄが突き当たる。これにより、係合板部３に対する傘部４ｂの沈み込みを防止することができるので、傾斜面３ｇを形成する樹脂層３ｃが傘部４ｂの裏面４ｃにより押し退けられることはない。すなわち、たとえ、薄い被覆が形成されている箇所が破れても、樹脂層３ｃの亀裂や剥離に繋がるような大きな歪みを生じることはなく、樹脂層３ｃの損傷を最小に抑えることができ、良好な係合状態を保持することが可能である。
【００３１】
（第２の実施の形態）
次に、本発明の第２の実施の形態について図３を用いて説明する。
【００３２】
図３は、本発明の第２の実施の形態のシートバックロック装置を示す斜視図である。本実施の形態では、第１の実施の形態において図１に示したシートバックロック装置１とは異なり、ストライカ４が車体に、フック部材２がシートバック６ａの肩に取り付けられている。なお、取り付け位置が異なる点を除いては、個々の部材の形状は第１の実施の形態に示したシートバックロック装置１と同様であるので、ここでは、同一部材に対しては同一符号を用いて説明を行う。
【００３３】
本実施の形態では、ストライカ４とフック部材２とが第１の実施の形態とは逆に配置されている点において異なっていることは上述したが、これに対応して、本実施の形態におけるフック部材２の係合板部３には、スリット３ａよりも車両前方側に凹部３ｄが形成されている。
【００３４】
このように構成されていることにより、追突等によりシートバック６ａの背後から積荷等が衝突し、シートバック６ａの中央付近が車両前方側へ湾曲した場合、シートバック６ａと共に動くフック部材２により、ストライカ４の傘部４ｂ側が車両前方側へ引っ張られる。これにより、軸部４ａの長手方向は、傘部４ｂを車両前方側へ向けて傾く。このとき、傘部４ｂの裏面４ｃは車両外側から車両後方側へ回転し、傘部４ｂの車両前方側が係合板部３の対向面に近付く。
【００３５】
このように、本実施の形態における構成では、第１の実施の形態とは逆に、傘部４ｂの車両前方側の周縁部４ｄが、係合板部３上の対向領域３ｆに近付く。ここで、本実施の形態におけるシートバックロック装置１のフック部材２が有する係合板部３には、スリット３ａが形成されている位置に対して車両前方側に凹部３ｄが形成されている。よって、第１の実施の形態に示した図１のシートバックロック装置１と同様の効果を得ることが可能である。
【００３６】
なお、上記各実施の形態において示した係合板部３の凹部３ｄには、スリット３ａから離れるに従って深さを増すように断面が直線的な傾斜面３ｇが形成されている例を示した。しかしこれに限らず、傘部４ｂの裏面４ｃと凹部３ｄ（係合板部）とが広く接し、当接圧力を分散できる構成であれば他の形状であっても構わない。
【００３７】
例えば、断面が緩やかな凸状の曲面であって、スリットから離れるに従ってその深さを増すように全体として凹部が形成されていても構わない。このような構成であれば、全体として凹部が形成されているので、傘部の裏面により押し退けられる樹脂の量を低減することができるとともに、回転が進む過程において、何れの回転角においても、緩やかな凸状の頂点とほぼ同じ状態で広く接することができるので、安定して局所的な押圧力の集中を防止することが可能となる。
【００３８】
また、凹部３ｄの内側は、一部金属のベース部３ｂが露出していても構わない。例えば、最も深さが深くなる位置に露出部を設けておけば、傘部４ｂの裏面４ｃ側の周縁が当接した際、樹脂層３ｃのような沈み込みが生じない。すなわち、ストライカ４の回転以外の軸方向への動きが抑えられるので、スリット３ａ周辺の樹脂層３ｃへの影響を小さく抑えることが可能となる。
【産業上の利用可能性】
【００３９】
本発明のシートバックロック装置は車両のシートのロック構造に好適に利用する事ができる。
【符号の説明】
【００４０】
１    シートバックロック装置
２    フック部材
３    係合板部
３ａ    スリット
３ｂ    ベース部
３ｃ    樹脂層
３ｄ    凹部
３ｅ    周縁
３ｆ    対向領域
３ｇ    傾斜面
４    ストライカ
４ａ    軸部
４ｂ    傘部
４ｃ    裏面
４ｄ    周縁部
６    車両用シート
６ａ    シートバック
【図１】
0005562194.tif 000002
【図２】
0005562194.tif 000003
【図３】
0005562194.tif 000004
【図４】
0005562194.tif 000005
【図５】
0005562194.tif 000006
【図６】
0005562194.tif 000007